(57)【要約】【課題】  安価な方法で、液晶表示素子の静電破壊を有効に防止できる液晶表示装置を提供する。【解決手段】  液晶表示素子１２と、液晶表示素子１２を保持するライトボックス１３と、ライトボックス１３が装着されると共に液晶表示素子１２の液晶端子１２ａが接続される回路基板１４と、液晶表示素子１２の表面側をクッション部材１７を介して覆う保護カバー１６とを備える。保護カバー１６が、液晶端子１２ａの外側方を覆う周壁部を備えた筐体形状に形成される。クッション部材１７は、可撓性を有するクッション材部１７ａと、クッション材部１７ａの表面に装着された補強板部１７ｂとからなり、補強板部１７ｂに着色が施されている。【選択図】    図１
2006030652.tif 000002
【特許請求の範囲】
【請求項１】
液晶表示素子と、該液晶表示素子を保持する保持ケースと、該保持ケースが装着されると共に該保持ケースに保持された液晶表示素子に備えられた液晶端子が接続される回路を備えた回路基板と、前記液晶表示素子の表面側をクッション部材を介して覆う保護カバーとを備えてなる液晶表示装置において、
前記保護カバーが、前記液晶端子の外側方を覆う周壁部を備えた筐体形状に形成されたことを特徴とする液晶表示装置。
【請求項２】
請求項１に記載の液晶表示装置において、
前記クッション部材は、可撓性を有するクッション材部と、該クッション材部の表面に装着された補強板部とからなり、該補強板部に着色が施されていることを特徴とする液晶表示装置。
【請求項３】
請求項２に記載の液晶表示装置において、
前記補強板部は、着色された樹脂材料により成形されていることを特徴とする液晶表示装置。
【発明の詳細な説明】
【技術分野】
【０００１】
本発明は、オーディオ機器やエアコンのような操作情報等の各種情報を表示するための液晶表示装置の改良に関するものである。
【背景技術】
【０００２】
例えば、車両に搭載されたオーディオ機器等の液晶表示装置として、図５および図６に示されるような液晶表示装置１があり、液晶表示素子２と、液晶表示素子２を保持する保持ケースとしてのライトボックス３と、所望の配線回路が形成された矩形状の回路基板４と、バックライト照明用の光を案内する導光レンズ５と、液晶表示素子２の表面側を保護する透明板からなる保護カバー６と、液晶表示素子２と保護カバー６との相互間に介在されるクッション部材７とを備えている。
【０００３】
そして、回路基板４にライトボックス３の四隅コーナー部にそれぞれ突設された係止爪３ａをそれぞれ係合させると共に、ネジ８止め等により、回路基板４とライトボックス３を一体化する。
【０００４】
このライトボックス３に導光レンズ５を嵌め込み、さらにライトボックス３の上側に液晶表示素子２を載せ、液晶表示素子２の端縁に沿って多数備えられたリード端子としての各液晶端子２ａを回路基板４の配線回路に半田付けして、液晶ユニットを構成する。
【０００５】
また、インストルメントパネル等からなるパネル９に設けられた表示開口部９ａの裏面側に、保護カバー６を粘着剤で固定し、保護カバー６と前記液晶ユニットにおける液晶表示素子２との間にクッション部材７を挟み込むようにして前記液晶ユニットをネジ等でパネル９に固定する構造とされている。
【０００６】
そして、回路基板４上に装着された発光体の光が導光レンズ５を通じて液晶表示素子２全体を裏面側からバックライト照明し、液晶表示素子２上の文字・記号等を表示する構造とされている。
【０００７】
この際、クッション部材７はスポンジ材等からなり、液晶表示素子２側からの光を遮光する遮光機能と、保護カバー６に押圧力が作用した際に液晶表示素子２に直接、圧力が作用しないようにする保護機能を有している。また、スポンジ材は柔らかく、形状が崩れやすいため、クッション部材７は通常、スポンジ材からなる矩形環状のクッション材部７ａと、クッション材部７ａに貼り合わせた補強用の補強板部７ｂとからなる構造とされている。
【０００８】
また、保護カバー６は、液晶表示素子２による表示範囲外の部分を隠す目的と意匠性向上の目的のため、表示範囲外の部分に対応して着色による目隠し部６ａの印刷が施されている。この場合、装着状態において表示開口部９ａを通じての手の接触等に起因する目隠し部６ａの印刷剥がれを避けるため、通常、裏面側に目隠し部６ａが印刷されている。
【発明の開示】
【発明が解決しようとする課題】
【０００９】
しかしながら、上記従来構造の液晶表示装置１によれば、各液晶端子２ａが液晶ユニットにおける外部に露出した状態であるため、保護カバー６の表面に静電気が印加された場合、図６の矢印Ｐで示されるように、保護カバー６の端部より液晶端子２ａ側に静電気が流れ易く、液晶表示素子２の静電破壊を招くおそれが大であった。
【００１０】
これを避けるため、各液晶端子２ａの外側方を板金等で覆う方法も考えられるが、別途部品を追加する必要があり、コスト高となる欠点がある。
【００１１】
そこで、本発明の解決しようとする課題は、安価な方法で、液晶表示素子の静電破壊を有効に防止できる液晶表示装置を提供することにある。
【課題を解決するための手段】
【００１２】
上記課題を解決するための技術的手段は、液晶表示素子と、該液晶表示素子を保持する保持ケースと、該保持ケースが装着されると共に該保持ケースに保持された液晶表示素子に備えられた液晶端子が接続される回路を備えた回路基板と、前記液晶表示素子の表面側をクッション部材を介して覆う保護カバーとを備えてなる液晶表示装置において、前記保護カバーが、前記液晶端子の外側方を覆う周壁部を備えた筐体形状に形成された点にある。
【００１３】
また、前記クッション部材は、可撓性を有するクッション材部と、該クッション材部の表面に装着された補強板部とからなり、該補強板部に着色が施されている構造としてもよい。
【００１４】
さらに、前記補強板部は、着色された樹脂材料により成形されている構造としてもよい。
【発明の効果】
【００１５】
本発明の液晶表示装置によれば、保護カバーが、液晶端子の外側方を覆う周壁部を備えた筐体形状に形成された構造とされているため、保護カバーの表面に静電気が印加された場合、保護カバーの周壁部を通じて回路基板側に静電気が流れ易くなり、液晶端子への静電気の流れが有効に防止でき、ここに、液晶表示素子の静電破壊を有効に防止でき、しかも保護カバーに周壁部を備えた構造であり、部品点数の増加を招くこともなく、簡単な構造で安価に提供できる。
【００１６】
また、クッション部材は、可撓性を有するクッション材部と、該クッション材部の表面に装着された補強板部とからなり、該補強板部に着色が施されている構造とすれば、従来の保護カバーに対する印刷による目隠し部と同様の目隠し部が補強板部に対する着色によって簡易に提供でき、この点からもコスト低減が図れる。
【００１７】
さらに、補強板部は、着色された樹脂材料により成形されている構造とすれば、補強板部に対する着色工程も不要となり、よりコスト低減が図れる。
【発明を実施するための最良の形態】
【００１８】
以下、本発明の実施形態を図面に基づいて説明すると、図１ないし図４に示される如く、液晶表示装置１１は前述同様、適宜大きさの矩形板状の液晶表示素子１２と、液晶表示素子１２を保持する保持ケースとしてのライトボックス１３と、所望の配線回路が形成された矩形状の回路基板１４と、バックライト照明用の導光レンズ１５と、液晶表示素子１２の表面側を保護する透明材、例えばポリカーボネート樹脂からなる保護カバー１６と、液晶表示素子１２と保護カバー１６との相互間に介在されるクッション部材１７とを備えている。
【００１９】
また、前記クッション部材１７は、可撓性を有する、例えばスポンジ材からなる矩形環状のクッション材部１７ａと、クッション材部１７ａの前面側に貼り合わせた補強用の対応する矩形環状の補強板部１７ｂとからなる構造とされている。この際、補強板部１７ｂは樹脂や板金等からなり、補強板部１７ｂの表面は、適宜色模様等の着色が印刷等により施され、目隠し部１７ｃを構成している。
【００２０】
さらに、前記保護カバー１６は、その周縁部に、液晶表示素子１２の端縁に沿って多数備えられたリード端子としての各液晶端子１２ａにおける外側方を囲繞して覆うべく、周壁部１６ａが延設状に備えられた筐体形状に形成されており、図２ないし図４に示されるように、この周壁部１６ａは、ライトボックス１３に外嵌可能に構成されている。
【００２１】
また、ライトボックス１３の周壁部における長手方向両側の側面にはそれぞれ係合突部１３ａが突設されており、保護カバー１６における周壁部１６ａの対応個所には、各係合突部１３ａがそれぞれ係脱自在に抜止め係合される被係合部１６ｂがそれぞれ備えられた構造とされている。
【００２２】
そして、前述同様、回路基板１４にライトボックス１３の四隅コーナー部にそれぞれ突設された係止爪１３ｂをそれぞれ係合させると共に、ネジ１８止め等により、回路基板１４とライトボックス１３を一体化する。
【００２３】
このライトボックス１３に導光レンズ１５を嵌め込み、さらにライトボックス１３の上側に液晶表示素子１２を載せ、液晶表示素子１２の各液晶端子１２ａを回路基板１４の配線回路に半田付けする。
【００２４】
そして、液晶表示素子１２と保護カバー１６との間にクッション部材１７を挟み込むようにして、保護カバー１６をライトボックス１３に外嵌させ、各係合突部１３ａと各被係合部１６ｂとを係合させ、図２ないし図４に示されるような一体化した液晶ユニット１９を構成する。
【００２５】
このように一体化された液晶ユニット１９を、インストルメントパネル等からなるパネル２０に設けられた表示開口部２０ａの裏面側に、ネジ等で固定する構造とされている。
【００２６】
そして、回路基板１４上に装着されたバルブ等からなる発光体２１の光が導光レンズ１５を通じて液晶表示素子１２全体を裏面側からバックライト照明し、液晶表示素子１２上の文字・記号等を表示する構造とされている。
【００２７】
本実施形態は以上のように構成されており、保護カバー１６が、液晶表示素子１２に備えられた各液晶端子１２ａの外側方を覆う周壁部１６ａを備えた筐体形状に形成されているため、保護カバー１６の表面に静電気が印加された場合、図４の矢印Ｑで示されるように、保護カバー１６の表面から周壁部１６ａを通じて回路基板１４側に直接、静電気が流れ易くなり、液晶端子１２ａへの静電気の流れが有効に防止できる。ここに、液晶表示素子１２の静電破壊を有効に防止できる。
【００２８】
また、保護カバー１６に周壁部１６ａを備えた構造であり、部品点数の増加を招くこともなく、簡単な構造で安価に提供できる利点もある。
【００２９】
さらに、前述のように保護カバー６の裏面側に目隠し部６ａを施す方法を本実施形態の保護カバー１６に採用すれば、周壁部１６ａの存在により、印刷による塗装方法が採用し難く、マスキング処理による吹き付け塗装となるため、コスト高を招くおそれがある。これに対し、本実施形態においては、クッション部材１７における補強板部１７ｂに印刷塗装等により着色を施すことによって目隠し部１７ｃを備える構造としており、保護カバー１６に対する裏面塗装と同等の効果を得ることができ、補強板部１７ｂに対する着色によって目隠し部１７ｃを簡易に提供でき、この点からもコスト低減が図れる利点がある。
【００３０】
なお、上記実施形態では、補強板部１７ｂに着色を施すことによって目隠し部１７ｃを備える構造とされているが、着色された樹脂材料により補強板部１７ｂを成形する構造としてもよい。この場合、補強板部１７ｂに対する着色工程も不要となり、よりコスト低減が図れる。
【００３１】
また、上記実施形態においては、液晶表示素子１２、回路基板１４、保護カバー１６等が細長矩形とされた構造を示しているが、その他の形状であってもよく、実施形態の形状に何ら限定されない。
【図面の簡単な説明】
【００３２】
【図１】本発明の実施形態にかかる分解斜視図である。
【図２】同組付状態の斜視図である。
【図３】図２におけるIII−III線断面矢視図である。
【図４】側断面拡大図である。
【図５】従来構造を示す分解斜視図である。
【図６】同側断面拡大図である。
【符号の説明】
【００３３】
１１  液晶表示装置
１２  液晶表示素子
１２ａ  液晶端子
１３  ライトボックス
１４  回路基板
１５  導光レンズ
１６  保護カバー
１６ａ  周壁部
１７  クッション部材
１７ａ  クッション材部
１７ｂ  補強板部
【図１】
2006030652.tif 000003
【図２】
2006030652.tif 000004
【図３】
2006030652.tif 000005
【図４】
2006030652.tif 000006
【図５】
2006030652.tif 000007
【図６】
2006030652.tif 000008